(57)【要約】【課題】録音再生出力中に外部出力装置の接続が外れたとしても、その後の再生時には、録音内容を引き続いて出力できるようにする。【解決手段】ＣＰＵ１は、イヤホーン１５が接続されている状態で録画部１９内の音声・映像情報を再生出力している再生動作中にあって、イヤホーン接続検出部１７によってイヤホーン１５の非接続が検出された際に、この再生動作を停止制御する。【選択図】  図１
2006352520.tif 000002
【特許請求の範囲】
【請求項１】
着脱自在な外部出力装置が接続された際に、この外部出力装置に対して録音内容を再生出力する携帯端末装置であって、
外部出力装置が接続されたか否かを検出する検出手段と、
外部出力装置が接続されている状態で前記録音内容を再生出力している再生動作中にあって前記検出手段によって当該外部出力装置の非接続が検出された際に、この再生動作を停止制御する再生制御手段と、
を具備したことを特徴とする携帯端末装置。
【請求項２】
内部出力装置を有するほか、着脱自在な外部出力装置としてイヤホーン、ヘッドホーン、外付けスピーカのうち、少なくともその何れかを接続可能な接続部を有する、
ことを特徴とする請求項1記載の携帯端末装置。
【請求項３】
外部出力装置が接続されている状態での再生動作中であって当該外部出力装置の非接続が検出された際に、その旨を警告表示する、
ようにしたことを特徴とする請求項1記載の携帯端末装置。
【請求項４】
映像付き音声情報を再生出力している再生動作中であって前記外部出力装置の非接続が検出された際に、当該音声情報の再生動作を停止制御するほか、映像情報の再生動作も合わせて停止制御する、
ようにしたことを特徴とする請求項1記載の携帯端末装置。
【請求項５】
前記再生動作の停止制御は、一時的な停止であり、前記映像情報の再生を一時停止している間、その停止時の映像情報を固定表示する、
ようにしたことを特徴とする請求項４記載の携帯端末装置。
【請求項６】
前記再生動作の停止制御は、一時的な停止であり、再生動作を一時停止させている状態で前記検出手段によって当該外部出力装置の再接続が検出された際に、前記再生制御手段は、再生動作を継続する、
ようにしたことを特徴とする請求項１記載の携帯端末装置。
【請求項７】
前記外部出力装置に対して再生動作を停止している状態で再生指示操作が行われた際には、内部出力装置に対して再生動作を継続する、
ようにしたことを特徴とする請求項１記載の携帯端末装置。
【請求項８】
外部から音響情報を受信すると共に、この音響情報を着脱自在な外部出力装置に対して出力する携帯端末装置であって、
外部出力装置が接続されたか否かを検出する検出手段と、
外部出力装置が接続されている状態で前記音響情報を出力している出力中にあって前記検出手段によって当該外部出力装置の非接続が検出された際に、この音響情報の出力を抑止制御すると共に、それ以降に受信した音響情報を逐次記録する出力制御手段と、
を具備したことを特徴とする携帯端末装置。
【請求項９】
前記出力制御手段による音響情報の記録中に前記検出手段によって外部出力装置の再接続が検出された際に、この記録内容を外部出力装置に対して再生出力する、
ようにしたことを特徴とする請求項１記載の携帯端末装置。
【請求項１０】
前記出力制御手段による音響情報の逐次記録中に前記検出手段によって外部出力装置の再接続が検出された際に、この記録内容を外部出力装置に対して再生出力するか、この再接続後に受信した音響情報を外部出力装置に対して出力するかを任意に選択する選択操作を受け付けると共に、この選択操作に従った出力を実行する、
ようにしたことを特徴とする請求項１記載の携帯端末装置。
【請求項１１】
前記音響情報は、映像情報に同期した映像付きの音響情報であり、
前記出力制御手段は、音響情報と共に映像情報を逐次記録する、
ようにしたことを特徴とする請求項１記載の携帯端末装置。
【請求項１２】
コンピュータに対して、
着脱自在な外部出力装置が接続された際に、この外部出力装置に対して録音内容を再生出力する機能と、
外部出力装置が接続されたか否かを検出する機能と、
外部出力装置が接続されている状態で録音内容を再生出力している再生動作中にあって当該外部出力装置の非接続が検出された際に、この再生動作を停止制御する機能と、
を実現させるためのプログラム。
【請求項１３】
コンピュータに対して、
外部から音響情報を受信すると共に、この音響情報を着脱自在な外部出力装置に対して出力する機能と、
外部出力装置が接続されたか否かを検出する機能と、
外部出力装置が接続されている状態で前記音響情報を出力している出力中にあって当該外部出力装置の非接続が検出された際に、この音響情報の出力を抑止制御すると共に、それ以降に受信した音響情報を逐次記録する機能と、
を実現させるためのプログラム。
【発明の詳細な説明】
【技術分野】
【０００１】
この発明は、着脱自在な外部出力装置を備えた携帯端末装置及びプログラムに関する。
【背景技術】
【０００２】
一般に、スピーカ内蔵型のオーディオ装置では、ヘッドホーンを接続した状態で音楽、ニュース番組などを鑑賞している最中にヘッドホーンのプラグがそのジャック部から抜け外れると、突然、内蔵スピーカから大音量が発生されることがある。
そこで、従来では、ヘッドホーンが外れて内蔵スピーカに出力が切り換わった場合に、この内蔵スピーカの音量を適正レベルに抑制すると共に、その後、ユーザ操作で所望する音量に調整可能とした技術が知られている（特許文献１参照）。
【特許文献１】特開平１０−１４５８８４号公報
【発明の開示】
【発明が解決しようとする課題】
【０００３】
しかしながら、上述した技術は、ヘッドホーンが外れた場合でも、それまで鑑賞していた音楽などを引き続いて聞くことができるように内蔵スピーカに切り換えることを前提としたものであり、そのときの音量を適正レベルに調整したとしても電車内のような公衆の場では周囲の他の人達に迷惑をかけてしまう。そこで、ヘッドホーンから内蔵スピーカへの切り換え時に音量レベルを“０（消音）”に自動調整すればよいが、ヘッドホーンが再接続されるまでは消音状態のままとなるため、例えば、放送番組をリアルタイムに聞いているような場合には、ヘッドホーンが外れてから再接続されるまでの間の放送内容を聞き逃がしてしまう。また、録音内容を再生出力しているときにヘッドホーンが外れた場合には、戻し操作を行って再生位置を調整する必要があるが、中断位置まで正確に戻すことは極めて困難であり、正確に戻さなければ、その一部分を聞き逃してしまうこともあった。
【０００４】
第1の発明の課題は、録音再生出力中に外部出力装置の接続が外れたとしても、その後の再生時には、録音内容を引き続いて出力できるようにすることである。
第２の発明の課題は、音響情報の受信出力中に外部出力装置が外れたとしても、それ以降に受信した音響情報を必要に応じて出力できるようにすることである。
【課題を解決するための手段】
【０００５】
請求項１記載の発明（第１の発明）は、着脱自在な外部出力装置が接続された際に、この外部出力装置に対して録音内容を再生出力する携帯端末装置であって、外部出力装置が接続されたか否かを検出する検出手段と、外部出力装置が接続されている状態で前記録音内容を再生出力している再生動作中にあって前記検出手段によって当該外部出力装置の非接続が検出された際に、この再生動作を停止制御する再生制御手段とを具備したことを特徴とする。
更に、コンピュータに対して、上述した請求項１記載の発明に示した主要機能を実現させるためのプログラムを提供する（請求項１２記載の発明）。
なお、「外部出力装置の非接続」とは、故意、過失を問わず、外部出力装置の接続が外れた状態を意味し、また、「再生動作の停止」とは、少なくとも録音読み出し動作の一時停止を意味している。
【０００６】
なお、請求項１記載の発明は次のようなものであってもよい。
内部出力装置を有するほか、着脱自在な外部出力装置としてイヤホーン、ヘッドホーン、外付けスピーカのうち、少なくともその何れかを接続可能な接続部を有する（請求項２記載の発明）。
【０００７】
外部出力装置が接続されている状態での再生動作中であって当該外部出力装置の非接続が検出された際に、その旨を警告表示する（請求項３記載の発明）。
【０００８】
映像付き音声情報を再生出力している再生動作中であって前記外部出力装置の非接続が検出された際に、当該音声情報の再生動作を停止制御するほか、映像情報の再生動作も合わせて停止制御する（請求項４記載の発明）。
この場合、前記再生動作の停止制御は、一時的な停止であり、前記映像情報の再生を一時停止している間、その停止時の映像情報を固定表示するようにしてもよい（請求項５記載の発明）。
【０００９】
前記再生動作の停止制御は、一時的な停止であり、再生動作を一時停止させている状態で前記検出手段によって当該外部出力装置の再接続が検出された際に、前記再生制御手段は、再生動作を継続する（請求項６記載の発明）。
【００１０】
前記外部出力装置に対して再生動作を停止している状態で再生指示操作が行われた際には、内部出力装置に対して再生動作を継続する（請求項７記載の発明）。
なお、「内部出力装置」とは、内蔵スピーカなどである。
【００１１】
請求項８記載の発明（第２の発明）は、外部から音響情報を受信すると共に、この音響情報を着脱自在な外部出力装置に対して出力する携帯端末装置であって、外部出力装置が接続されたか否かを検出する検出手段と、外部出力装置が接続されている状態で前記音響情報を出力している出力中にあって前記検出手段によって当該外部出力装置の非接続が検出された際に、音響情報の出力を抑止制御すると共に、それ以降に受信した音響情報を逐次記録する出力制御手段とを具備したことを特徴とする。
更に、コンピュータに対して、上述した請求項８記載の発明に示した主要機能を実現させるためのプログラムを提供する（請求項１３記載の発明）。
なお、「音響情報の出力を抑止制御する」とは、内部出力装置からの出力を禁止して消音状態に設定したり、低音量レベルに自動調整することを意味している。
【００１２】
前記出力制御手段による音響情報の記録中に前記検出手段によって外部出力装置の再接続が検出された際に、この記録内容を外部出力装置に対して再生出力する（請求項９記載の発明）。
【００１３】
前記出力制御手段による音響情報の逐次記録中に前記検出手段によって外部出力装置の再接続が検出された際に、この記録内容を外部出力装置に対して再生出力するか、この再接続後に受信した音響情報を外部出力装置に対して出力するかを任意に選択する選択操作を受け付けると共に、この選択操作に従った出力を実行する（請求項１０記載の発明）。
【００１４】
前記音響情報は、映像情報に同期した映像付きの音響情報であり、前記出力制御手段は、音響情報と共に映像情報を逐次記録する（請求項１１記載の発明）。
【発明の効果】
【００１５】
請求項１記載の発明（第１の発明）によれば、外部出力装置が接続されている状態で録音内容を再生出力している再生動作中にあって当該外部出力装置の非接続が検出された際に、この再生動作を停止制御するようにしたから、録音再生出力中に外部出力装置の接続が外れたとしても、内蔵スピーカからの出力を禁止できるほか、その後の再生時には、録音内容を引き続いて出力することができる。つまり、再生動作中に外部出力装置が外れても、他人への迷惑を防ぐことができるほか、その影響を受けることなく、連続的な再生が可能となり、聞き逃し部分の発生を防止することが可能となる。
【００１６】
請求項２記載の発明によれば、上述した請求項１記載の発明と同様の効果を有するほか、着脱自在な外部出力装置としてイヤホーン、ヘッドホーン、外付けスピーカのうち、少なくともその何れかを接続可能な接続部を有するから、必要に応じてイヤホーン、ヘッドホーン、外付けスピーカを接続して録音内容を聞くことができる。
【００１７】
請求項３記載の発明によれば、上述した請求項１記載の発明と同様の効果を有するほか、外部出力装置が接続されている状態での再生動作中であって当該外部出力装置の非接続が検出された際に、その旨を警告表示するようにしたから、外部出力装置の不本意な抜けを報知することができる。
【００１８】
請求項４記載の発明によれば、上述した請求項１記載の発明と同様の効果を有するほか、映像付き音声情報を再生出力している再生動作中であって外部出力装置の非接続が検出された際に、当該音声情報の再生動作を停止制御するほか、映像情報の再生動作も合わせて停止制御するようにしたから、例えば、テレビ放送の録画視聴時にも対応可能となる。
この場合、再生動作の停止制御は、一時的な停止であり、映像情報の再生を一時停止している間、その停止時の映像情報を固定表示するようにしたから（請求項５記載の発明）、映像の表示状態によって外部出力装置の不本意な抜けを知ることができる。
【００１９】
請求項６記載の発明によれば、上述した請求項１記載の発明と同様の効果を有するほか、再生動作の停止制御は、一時的な停止であり、再生動作を一時停止させている状態で当該外部出力装置の再接続が検出された際に、再生動作を継続するようにしたから、外部出力装置を再接続するだけで再生動作を継続することができる。
【００２０】
請求項７記載の発明によれば、上述した請求項１記載の発明と同様の効果を有するほか、外部出力装置に対して再生動作を停止している状態で再生指示操作が行われた際には、内部出力装置に対して再生動作を継続するようにしたから、ユーザ指示に応じて外部出力装置から内部出力装置への切り換えを即座に行うことができる。
【００２１】
請求項８記載の発明（第２の発明）によれば、外部出力装置が接続されている状態で受信した音響情報を出力している出力中にあって当該外部出力装置の非接続が検出された際に、音響情報の出力を抑止制御すると共に、それ以降に受信した音響情報を逐次記録するようにしたから、音響情報の受信出力中に外部出力装置が外れたとしても、他人への迷惑を防ぐことができるほか、それ以降に受信した音響情報を必要に応じて再生出力することができる。例えば、テレビ視聴中に外部出力装置が外れても、その影響を受けることなく、連続的な視聴が可能となる。
【００２２】
請求項９記載の発明によれば、上述した請求項８記載の発明と同様の効果を有するほか、音響情報の記録中に外部出力装置の再接続が検出された際に、この記録内容を外部出力装置に対して再生出力するようにしたから、外部出力装置を再接続するだけで再生内容を聞くことができる。
【００２３】
請求項１０記載の発明によれば、上述した請求項８記載の発明と同様の効果を有するほか、音響情報の逐次記録中に外部出力装置の再接続が検出された際に、この記録内容を外部出力装置に対して再生出力するか、この再接続後に受信した音響情報を外部出力装置に対して出力するかを任意に選択する選択操作を受け付けると共に、この選択操作に従った出力を実行するようにしたから、再接続後の出力形式をユーザの要望に応じて選択することができる。
【００２４】
請求項１１記載の発明によれば、上述した請求項８記載の発明と同様の効果を有するほか、音響情報は、映像情報に同期した映像付きの音響情報であり、音響情報と共に映像情報を逐次記録するようにしたから、例えば、テレビ放送の視聴時にも対応可能となる。
【発明を実施するための最良の形態】
【００２５】
（実施例１）
以下、図１〜図３を参照して本発明の第1実施例を説明する。
この実施例は、携帯端末装置として携帯電話装置に適用した場合を例示したもので、図１は、この携帯電話装置の基本的な構成要素を示したブロック図である。
ＣＰＵ１は、記憶部２内の各種のプログラムに応じてこの携帯電話装置の全体動作を制御する中央演算処理装置である。記憶部２は、不揮発性メモリ(内部メモリ)であり、例えば、フラッシュメモリなどによって構成され、プログラム領域とデータ領域とを有し、このプログラム領域には、後述する図２及び図３に示す動作手順に応じて本実施例を実現するためのプログラムが格納されている。記録メディア３は、着脱自在な可搬型メモリで、撮影画像データ、各種のデータ、プログラムを外部供給するもので、例えば、スマートメディア、ＩＣカードなどによって構成されている。メモリ４は、ワーク領域を有する内部メモリで、例えば、ＤＲＡＭ（Direct Random Access Memory）、ＳＤＲＡＭ（Synchronous DRAM）などによって構成されている。
【００２６】
電話通信部５は、アンテナ６に接続された送受信デュプレクサの受信側から信号を取り込んで受信ベースバンド信号に復調した後に、音声データ、映像データとして出力し、映像データは、映像出力部７を介してＬＣＤ（液晶表示器）などのディスプレイ装置８に表示され、また、音声データは、音声出力部９、アンプ１０を介して内蔵スピーカ１１から音声出力される。また、電話通信部５は、マイクロフォン（図示せず）から入力された音声データを送信ベースバンド信号に符号化した後に、送受信デュプレクサの送信側に与えられ、アンテナ６から発信出力される。
【００２７】
テレビ受信部１２は、ＴＶアンテナ１３を備え、例えば、携帯電話などの携帯受信機向けの地上波デジタルテレビ放送を受信するもので、テレビ映像及び音声情報以外にも電子番組表(ＥＰＧ)なども含めて受信可能である。そして、テレビ受信部１２は、専用ＣＰＵ、ＴＶアンテナ１３に接続されている受信部、受信したテレビ放送を映像信号と音声信号とに分離する増幅分離部、圧縮データを解凍するデコード部などを有する構成となっており、このテレビ受信部１２から出力されたテレビ映像信号は、映像出力部７を介してディスプレイ装置８に表示され、また、テレビ音声信号は、音声出力部９、アンプ１０を介して内蔵スピーカ１１から発生出力される。
【００２８】
音声出力部９は、デジタル音声情報をデジタル／アナログ変換すると共に、ユーザ操作に応じて電子ボリュームを作動させて音量レベルを調整するもので、この音声出力部９には、アンプ１０を介して内蔵スピーカ１１が接続されているほか、アンプ１４を介してイヤホーン１５が接続されている。ＣＰＵ１は、イヤホーン１５がそのジャック部１６に差し込まれた際には、内蔵スピーカ１１に代えて音声情報をイヤホーン１５から出力させる。すなわち、イヤホーン１５が接続されていないときには、内蔵スピーカ１１から音声出力させ、イヤホーン１５が接続されているときには、イヤホーン１５から音声出力させる。なお、音声情報とは、音声以外にも音楽などを含む広義の音響情報である（以下、同様）。
【００２９】
イヤホーン接続検出部１７は、プルアップ抵抗、スイッチング素子などを有する構成で、イヤホーン１５がそのジャック部１６に接続されているか否か、言い換えれば、イヤホーン１５のプラグがそのジャック部１６から抜けたか否かの接続状態を検出するもので、ＣＰＵ１は、イヤホーン接続検出部１７からの検出信号を常時監視し、この検出信号に基づいてイヤホーン１５の接続／非接続を判別し、その判別結果に基づいてスピーカ用アンプ１０、イヤホーンアンプ１４をＯＮ／ＯＦＦさせる。例えば、ＣＰＵ１は、イヤホーン１５が接続されていない状態では、イヤホーン接続検出部１７の検出信号はハイレベルとなり、音声出力部９を介してスピーカ用アンプ１０をＯＮさせ、イヤホーン１５が接続されている状態では、イヤホーン接続検出部１７の検出信号はローレベルとなり、音声出力部９を介してイヤホーンアンプ１４をＯＮさせるようにしている。
【００３０】
キー操作部１８は、押しボタン式の各種のキーを備え、ダイヤル入力、文字入力、コマンド入力などを行うもので、キー操作部１８には、例えば、動作モード(メールモード、テレビ受信モードなど)に切り換えるモードキーと、テレビ受信を終了させるテレビ終了キー、テレビ放送の録画（録音を含む）を指示する録画キー、録画再生の一時停止を指示する一時停止キー、録画再生の中止を指示する中止キー、音声ボリューム調整キーなどを有し、ＣＰＵ１は、キー操作部１８からのキー入力信号に応じた処理を実行する。
【００３１】
録画部１９は、テレビ放送内容を録画する大容量の半導体メモリあるいは小型ハードディスクなどを有する構成で、例えば、最大５〜６分程度の録画が可能となっている。なお、放送内容の録画とは、映像情報の録画に限らず、それに付加されている音声情報の録音を含むことを意味している。ここで、ＣＰＵ１は、録画部１９から音声・映像情報を読み出して再生出力させるが、その際、音声出力は、内蔵スピーカ１１あるいはイヤホーン１５から行われる。ここで、イヤホーン１５が接続されている状態での再生動作中にイヤホーン接続検出部１７によってイヤホーン１５の非接続が検出されると、この再生動作（録音・録画の再生動作）を一時停止するようにしている。なお、録画部１９にテレビ放送内容を録画する場合に限らず、記録メディア３に録画するようにしてもよい。
【００３２】
次ぎに、第１実施例における携帯電話装置の動作概念を図２及び図３に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００３３】
図２及び図３は、録画再生がユーザ指定された際に実行開始されるフローチャートである。
先ず、ＣＰＵ１は、テレビ放送番組を録画する毎に録画部１９に記憶保持された各種の録画ファイルの中から任意の録画ファイルが再生対象としてユーザ選択されると（ステップＡ１）、この選択ファイルを再生対象として取り込んだ後、再生開始の指示待ちとなる（ステップＡ２）。ここで、再生開始が指示されると、イヤホーン接続検出部１７からの検出信号に基づいてイヤホーン１５の接続有無をチェックし（ステップＡ３）、イヤホーン１５が接続されていれば、イヤホーン用アンプ１４をＯＮさせた後に（ステップＡ４）、外部スピーカであるイヤホーン１５を使用して音声再生を行う旨の案内を表示出力させるが（ステップＡ５）、イヤホーン１５が接続されていなければ（ステップＡ３でＮＯ）、スピーカ用アンプ１０をＯＮさせた後に（ステップＡ６）、内蔵スピーカ１１を使用して音声再生を行う旨の案内を表示出力させる（ステップＡ７）。
【００３４】
そして、上述のようにして再生対象として選択された録画部１９内の選択ファイルから音声付き映像情報を順次読み出してその再生出力を開始させるために、映像出力部７及び音声出力部９をＯＮすると共に、選択ファイルから読み出した映像情報を映像出力部７に与えてディスプレイ装置８から表示出力させ、また、選択ファイルから読み出した音声情報を音声出力部９に与えて内蔵スピーカ１１あるいはイヤホーン１５から発生出力させる（ステップＡ８）。この再生動作中においてＣＰＵ１は、イヤホーン接続検出部１７をアクセスしてイヤホーン１５の接続有無をチェックすることによってイヤホーン１５が抜けたか否かを調べる（ステップＡ９）。
【００３５】
いま、イヤホーン１５が接続されたままの状態であれば、再生動作の一時停止がユーザ指示されたか否かをチェックし（ステップＡ１０）、一時停止が指示されなければ、ステップＡ１１に移り、当該選択ファイルから音声付き映像情報を全て再生し終わったか（再生終了か）あるいは再生中止がユーザ指示されたかをチェックする。ここで、再生終了が検出されなかった場合あるいは再生中止がユーザ指示されなかった場合には、ステップＡ９に戻り、再生動作を継続実行する。
【００３６】
そして、この再生動作中に一時停止が指示された際には（ステップＡ１０でＹＥＳ）、音声・映像の再生出力を一時停止させた後に（ステップＡ１２）、選択ファイルの停止位置を一時記憶しておく（ステップＡ１３）。この場合、音声情報、映像情報の読み出し動作を一時停止することによって音声出力部９、映像出力部７への情報供給が遮断されるが、この一時停止中、映像情報はそのまま固定表示され、一時停止時の映像画面がそのまま表示出力される。そして、ユーザからの再生指示の有無（ステップＡ１４）あるいは再生中止指示の有無を判別し（ステップＡ１５）、再生指示あるいは中止指示があるまで待機状態となる。
【００３７】
ここで、再生指示を受けた場合には（ステップＡ１４でＹＥＳ）、一時記憶されている停止位置を読み出し、この停止位置から音声・映像の再生出力を再開させた後に（ステップＡ１６）、上述のステップＡ９に戻って再生動作を継続実行するが、中止指示を受けた場合には（ステップＡ１５でＹＥＳ）、音声・映像の再生出力を終了させる再生終了処理として、イヤホーン用アンプ１４あるいはスピーカ用アンプ１０をＯＦＦすると共に、映像出力部７及び音声出力部９をＯＦＦする（ステップＡ１７）。
【００３８】
一方、上述のような再生動作中にイヤホーン１５が抜けたことが検出された場合には（ステップＡ９でＹＥＳ）、図３のステップＡ１８に移り、音声・映像の再生出力を一時停止させた後、選択ファイルの停止位置を一時記憶しておく（ステップＡ１９）。この場合においても、映像情報は一時停止時中、そのまま固定表示される。そして、イヤホーン用アンプ１４をＯＦＦすると共に（ステップＡ２０）、イヤホーン１５が抜けたことを案内する警告メッセージを表示出力させる（ステップＡ２１）。
【００３９】
この状態において、再度、イヤホーン１５の接続有無をチェックすることによってイヤホーン１５が接続されたか否かを調べ（ステップＡ２２）、イヤホーン１５が非接続のままであれば、ユーザからの再生指示あるいは音量調整用のボリューム操作が行われたか（ステップＡ２３）あるいは再生中止がユーザ指示されたかをチェックする（ステップＡ２４）。ここで、イヤホーン１５が抜けたままの状態で再生指示／ボリューム操作／中止指示の何れも無ければ、ステップＡ２２に戻って待機状態となる。いま、イヤホーン１５が接続された場合に（ステップＡ２２でＹＥＳ）、ＣＰＵ１は、イヤホーン用アンプ１４をＯＮすると共に（ステップＡ２５）、一時記憶されている停止位置を読み出し、この停止位置から音声・映像情報を読み出してその再生出力を再開させる（ステップＡ２６）。この場合、音声情報は、イヤホーン１５から発生出力される。そして、図２のステップＡ９に戻って再生動作を継続実行する。
【００４０】
また、イヤホーン１５が抜けたままの状態で再生指示あるいはボリューム操作が行われた場合に（ステップＡ２３でＹＥＳ）、ＣＰＵ1は、スピーカ用アンプ１０をＯＮすると共に（ステップＡ２７）、内蔵スピーカ１１からの再生に切り換わることを案内するための案内メッセージを表示させた後に（ステップＡ２８）、上述のステップＡ２６に移り、一時記憶されている停止位置を読み出し、この停止位置から音声・映像の再生出力を再開させる。この場合、音声情報は、内蔵スピーカ１１から発生出力される。なお、イヤホーン１５が抜けたままの状態で再生中止が指示された場合には（ステップＡ２４）、図２のステップＡ１７に移って再生終了処理が行われる。
【００４１】
以上のように、この第１実施例においてＣＰＵ１は、イヤホーン１５が接続されている状態で録画部１９内の音声・映像情報を再生出力している再生動作中にあってイヤホーン接続検出部１７によってイヤホーン１５の非接続が検出された際に、この再生動作を停止制御するようにしたから、録音再生出力中にイヤホーン１５の接続が外れたとしても、内蔵スピーカ１１からの出力を禁止できるほか、その後の再生時には、音声・映像情報を引き続いて出力することができる。つまり、再生動作中にイヤホーン１５が外れても、他人への迷惑を防ぐことができるほか、その影響を受けることなく、連続的な再生が可能となる。
【００４２】
この場合、ＣＰＵ１は、イヤホーン１５が接続されている状態での再生動作中であってイヤホーン１５の非接続が検出された際に、その旨の警告メッセージを表示出力するようにしたから、イヤホーン１５の不本意な抜けを報知することができる。
また、映像・音声情報を再生出力している再生動作中であってイヤホーン１５の非接続が検出された際に、音声情報の再生動作を停止制御するほか、映像情報の再生動作も合わせて停止制御するようにしたから、テレビ放送の録画視聴時にも対応可能となる。この場合、映像情報の再生を一時停止している間、その停止時の映像情報を固定表示するようにしたから、映像の表示状態によってイヤホーン１５の不本意な抜けを知ることができる。
【００４３】
ＣＰＵ１は、再生動作を一時停止させている状態でイヤホーン１５の再接続が検出された際に、再生動作を継続するようにしたから、イヤホーン１５を再接続するだけで再生動作を継続することができる。また、イヤホーン１５に対して再生動作を停止している状態で再生指示操作が行われた際には、内蔵スピーカ１１に対して再生動作を継続するようにしたから、ユーザ指示に応じてイヤホーン１５から内蔵スピーカ１１への切り換えを即座に行うことができる。
【００４４】
なお、上述した第１実施例においては、イヤホーン１５が接続されている再生動作中にイヤホーン１５が外れた際に、再生動作を一時停止するようにしたが、そのときの再生位置（停止位置）を記憶保持しながら再生動作を停止（終了）させるようにしてもよい。この場合、その再生開始が再度指示された場合には、再生位置（停止位置）のセット有無をチェックし、再生位置がセットされていれば、その位置から再生を開始するようにしてもよい。
【００４５】
また、上述した第１実施例においては、テレビ放送番組の録画内容を再生出力するようにしたが、再生対象はテレビ録画に限らず、記録メディア３によって外部供給された音楽情報、映像付き音声情報などを再生出力する場合であってもよい。
また、通話の音声内容を録音して再生出力するようにしてもよい。また、上述した第１実施例においては、外部出力装置としてイヤホーン１５を例示したが、ヘッドホーン、外付けスピーカであってもよく、また、イヤホーン、ヘッドホーン、外付けスピーカを接続可能としてもよい。
（実施例２）
【００４６】
以下、この発明の第２実施例について図４及び図５を参照して説明する。
なお、上述した第１実施例においては、録画部１９内の音声・映像情報を再生出力している再生動作中にイヤホーン１５が抜かれた際に、この再生動作を停止制御するようにしたが、テレビ放送を受信しながらその放送内容を出力している場合に、イヤホーン１５が抜かれた際に、この放送内容の出力を抑制（出力禁止）すると共に、それ以降に受信したテレビ放送を逐次録画するようにしたものである。
ここで、両実施例において基本的あるいは名称的に同一のものは、同一符号を付して示し、その説明を省略すると共に、以下、第２実施例の特徴部分を中心に説明するものとする。
【００４７】
図４及び図５は、ＴＶアプリケーションの起動に伴って実行開始されるフローチャートであり、キー操作部１７上のモードキーによって「テレビ受信モード」が選択指定された際に実行開始される。
先ず、ＣＰＵ１は、ＴＶアプリケーションが起動された後に、チャンネル選択ボタンによって所望するチャンネルが選択指定されると、選択チャンネルの放送内容を取得する（ステップＢ１）。そして、イヤホーン接続検出部１７からの検出信号に基づいてイヤホーン１５の接続有無をチェックし（ステップＢ２）、イヤホーン１５が接続されていれば、イヤホーン用アンプ１４をＯＮさせた後に（ステップＢ３）、外部スピーカであるイヤホーン１５を使用して音声再生を行う旨の案内メッセージを表示出力させるが（ステップＢ４）、イヤホーン１５が接続されていなければ、スピーカ用アンプ１０をＯＮさせた後に（ステップＢ５）、内蔵スピーカ１１を使用して音声再生を行う旨の案内を表示出力させる（ステップＢ６）。
【００４８】
そして、受信した選択チャンネルの放送内容の出力を開始させるために、映像出力部７及び音声出力部９をＯＮすると共に、映像情報を映像出力部７に与えてディスプレイ装置８から表示出力させ、また、音声情報を音声出力部９に与えて内蔵スピーカ１１あるいはイヤホーン１５から発生出力させる（ステップＢ７）。そして、テレビ放送出力中にイヤホーン接続検出部１７をアクセスしてイヤホーン１５の接続有無をチェックすることによってイヤホーン１５が抜けたか否かを調べる（ステップＢ８）。いま、イヤホーン１５が接続されたままの状態であれば、ユーザ指示の有無をチェックし（ステップＢ９）、テレビ受信出力の終了が指示された場合には（ステップＢ１０でＹＥＳ）、このフローの終了となるが、その他の指示を受けた場合には、指示内容に応じた対応処理として、チャンネルの切り換え、音量変更などが行われる（ステップＢ１１）。以下、受信チャンネルの音声・映像を出力するステップＢ７に戻る。
【００４９】
一方、テレビ放送出力中にイヤホーン１５が抜かれた場合には（ステップＢ８でＹＥＳ）、イヤホーン用アンプ１４をＯＦＦすると共に（図５のステップＢ１２）、映像出力をＯＦＦした後（ステップＢ１３）、受信チャンネルの放送内容を録画部１９に録音・録画する動作を開始する（ステップＢ１４）。そして、イヤホーン１５が抜けたことを案内する警告メッセージを表示出力させる（ステップＢ１５）。この状態において、イヤホーン接続検出部１７をアクセスしてイヤホーン１５の接続有無をチェックすることによってイヤホーン１５が接続されたか否かを調べ、イヤホーン１５が接続されるまで待機する（ステップＢ１６）。
【００５０】
ここで、イヤホーン１５が接続された場合には（ステップＢ１６でＹＥＳ）、イヤホーン用アンプ１４をＯＮすると共に（ステップＢ１７）、録画部１９の内容を再生出力するか否かを問い合わせる再生要否を示すメッセージを表示出力させる（ステップＢ１８）。いま、ユーザから再生指示が無く、現在放送中の内容をそのまま視聴することを希望する場合には（ステップＢ１９でＮＯ）、録画動作を終了させる（ステップＢ２０）。以下、受信チャンネルの音声・映像を出力するステップＢ７に戻る。また、ユーザから再生指示を受けた場合には（ステップＢ１９でＹＥＳ）、録画動作をそのまま継続しながらタイムシフト再生を開始する（ステップＢ２１）。すなわち、録画部１９からイヤホーン１５が抜けたときの録画位置を再生位置としてフィードバックし、この位置から音声・映像情報を読み出しながら再生動作を開始する。
【００５１】
この録画再生中にユーザから戻り指示を受けたか（ステップＢ２２）、再生終了の指示を受けたかをチェックし（ステップＢ２３）、戻り指示を受けた場合には、再生出力を停止させると共に（ステップＢ２４）、録画動作を終了させた後に（ステップＢ２０）、受信チャンネルの音声・映像を出力するステップＢ７に戻るが、終了指示を受けた場合には（ステップＢ２３でＹＥＳ）、再生出力の停止及び録画動作の終了後（ステップＢ２５）、イヤホーン用アンプ１４あるいはスピーカ用アンプ１０をＯＦＦすると共に、映像出力部７及び音声出力部９をＯＦＦする（ステップＢ２６）。
【００５２】
以上のように、この第２実施例においてＣＰＵ１は、イヤホーン１５が接続されている状態で受信したテレビ放送を出力している放送出力中にイヤホーン１５の非接続が検出された際に、テレビ放送の出力を一時停止すると共に、それ以降に受信したテレビ放送を逐次録画するようにしたから、テレビ放送出力中にイヤホーン１５が外れたとしても、他人への迷惑を防ぐことができるほか、それ以降に受信したテレビ放送を必要に応じて再生出力することができる。つまり、テレビ視聴中にイヤホーン１５が外れても、その影響を受けることなく、連続的な視聴が可能となる。
【００５３】
この場合、テレビ放送の録画中にイヤホーン１５の再接続が検出された際に、この録画内容をイヤホーン１５に対して再生出力するようにしたから、イヤホーン１５を再接続するだけで再生内容を視聴することができる。また、テレビ放送の録画中にイヤホーン１５の再接続が検出された際に、この録画内容をイヤホーン１５に対して再生出力するか、この再接続後に受信した現在のテレビ放送をイヤホーン１５に対して出力するかを任意に選択する選択操作を受け付けると共に、この選択操作に従った出力を実行するようにしたから、再接続後の出力形式をユーザの要望に応じて選択することができる。
【００５４】
なお、上述した第２実施例においては、イヤホーン１５が抜けたときの録画位置を再生位置としてフィードバックして再生出力するようにしたが、イヤホーン１５が抜けたときの少し前（例えば、３秒前）から再生出力を開始するようにしてもよい。また、テレビ放送を視聴する場合を例示したが、インターネットからダウンロード受信した映画、音楽であってもよい。また、外部出力装置としては、イヤホーン１５に限らず、ヘッドホーン、外付けスピーカであってもよく、また、イヤホーン、ヘッドホーン、外付けスピーカを接続可能としてもよい。
その他、テレビ機能付き携帯電話装置に適用した場合を示したが、電子腕時計、ＰＤＡ、電子カメラ装置、音楽再生機などであってもよい。
【００５５】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、着脱自在な外部出力装置が接続された際に、この外部出力装置に対して録音内容を再生出力する機能と、外部出力装置が接続されたか否かを検出する機能と、外部出力装置が接続されている状態で録音内容を再生出力している再生動作中にあって当該外部出力装置の非接続が検出された際に、この再生動作を停止制御する機能とを実現させるためのプログラムを記録したコンピュータが読み取り可能な記録媒体を提供するようにしてもよい。
【００５６】
また、コンピュータが読み取り可能なプログラムコードを有する記録媒体であって、外部から音響情報を受信すると共に、この音響情報を着脱自在な外部出力装置に対して出力する機能と、外部出力装置が接続されたか否かを検出する機能と、外部出力装置が接続されている状態で前記音響情報を出力している出力中にあって当該外部出力装置の非接続が検出された際に、この音響情報の出力を抑止制御すると共に、それ以降に受信した音響情報を逐次記録する機能とを実現させるためのプログラムを記録したコンピュータが読み取り可能な記録媒体を提供するようにしてもよい。
【図面の簡単な説明】
【００５７】
【図１】携帯端末装置として適用したテレビ機能付き携帯電話装置の基本的な構成要素を示したブロック図。
【図２】録画再生がユーザ指定された際に実行開始されるフローチャート。
【図３】図２に続く、フローチャート。
【図４】第２実施例において、ＴＶアプリケーションの起動に伴って実行開始されるフローチャート。
【図５】図４に続く、フローチャート。
【符号の説明】
【００５８】
１  ＣＰＵ
２  記憶部
４  メモリ
５  電話通信部
７  映像出力部
８  ディスプレイ装置
９  音声出力部
１１  内蔵スピーカ
１２  テレビ受信部
１４  イヤホーン用アンプ
１５  イヤホーン
１６  イヤホーンジャック部
１７  イヤホーン接続検出部
１８  キー操作部
１９  録画部
【図１】
2006352520.tif 000003
【図２】
2006352520.tif 000004
【図３】
2006352520.tif 000005
【図４】
2006352520.tif 000006
【図５】
2006352520.tif 000007
【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
着脱自在な外部出力装置が接続された際に、この外部出力装置に対して録音内容を再生出力する携帯端末装置であって、
外部出力装置が接続されたか否かを検出する検出手段と、
外部出力装置が接続されている状態で前記録音内容を再生出力している再生動作中にあって前記検出手段によって当該外部出力装置の非接続が検出された際に、この再生動作を停止制御する再生制御手段と、
を具備したことを特徴とする携帯端末装置。
【請求項２】
内部出力装置を有するほか、着脱自在な外部出力装置としてイヤホーン、ヘッドホーン、外付けスピーカのうち、少なくともその何れかを接続可能な接続部を有する、ことを特徴とする請求項1記載の携帯端末装置。
【請求項３】
外部出力装置が接続されている状態での再生動作中であって当該外部出力装置の非接続が検出された際に、その旨を警告表示する、ようにしたことを特徴とする請求項1記載の携帯端末装置。
【請求項４】
映像付き音声情報を再生出力している再生動作中であって前記外部出力装置の非接続が検出された際に、当該音声情報の再生動作を停止制御するほか、映像情報の再生動作も合わせて停止制御する、ようにしたことを特徴とする請求項1記載の携帯端末装置。
【請求項５】
前記再生動作の停止制御は、一時的な停止であり、前記映像情報の再生を一時停止している間、その停止時の映像情報を固定表示する、ようにしたことを特徴とする請求項４記載の携帯端末装置。
【請求項６】
前記再生動作の停止制御は、一時的な停止であり、再生動作を一時停止させている状態で前記検出手段によって当該外部出力装置の再接続が検出された際に、前記再生制御手段は、再生動作を継続する、ようにしたことを特徴とする請求項１記載の携帯端末装置。
【請求項７】
前記外部出力装置に対して再生動作を停止している状態で再生指示操作が行われた際には、内部出力装置に対して再生動作を継続する、ようにしたことを特徴とする請求項１記載の携帯端末装置。
【請求項８】
外部から音響情報を受信すると共に、この音響情報を着脱自在な外部出力装置に対して出力する携帯端末装置であって、
外部出力装置が接続されたか否かを検出する検出手段と、
外部出力装置が接続されている状態で前記音響情報を出力している出力中にあって前記検出手段によって当該外部出力装置の非接続が検出された際に、この音響情報の出力を抑止制御すると共に、それ以降に受信した音響情報を逐次記録する出力制御手段と、
を具備したことを特徴とする携帯端末装置。
【請求項９】
前記出力制御手段による音響情報の記録中に前記検出手段によって外部出力装置の再接続が検出された際に、この記録内容を外部出力装置に対して再生出力する、ようにしたことを特徴とする請求項８記載の携帯端末装置。
【請求項１０】
前記出力制御手段による音響情報の逐次記録中に前記検出手段によって外部出力装置の再接続が検出された際に、この記録内容を外部出力装置に対して再生出力するか、この再接続後に受信した音響情報を外部出力装置に対して出力するかを任意に選択する選択操作を受け付けると共に、この選択操作に従った出力を実行する、ようにしたことを特徴とする請求項８記載の携帯端末装置。
【請求項１１】
前記音響情報は、映像情報に同期した映像付きの音響情報であり、前記出力制御手段は、音響情報と共に映像情報を逐次記録する、ようにしたことを特徴とする請求項８記載の携帯端末装置。
【請求項１２】
コンピュータに対して、
着脱自在な外部出力装置が接続された際に、この外部出力装置に対して録音内容を再生出力する機能と、
外部出力装置が接続されたか否かを検出する機能と、
外部出力装置が接続されている状態で録音内容を再生出力している再生動作中にあって当該外部出力装置の非接続が検出された際に、この再生動作を停止制御する機能と、
を実現させるためのプログラム。
【請求項１３】
コンピュータに対して、
外部から音響情報を受信すると共に、この音響情報を着脱自在な外部出力装置に対して出力する機能と、
外部出力装置が接続されたか否かを検出する機能と、
外部出力装置が接続されている状態で前記音響情報を出力している出力中にあって当該外部出力装置の非接続が検出された際に、この音響情報の出力を抑止制御すると共に、それ以降に受信した音響情報を逐次記録する機能と、
を実現させるためのプログラム。